(57)【要約】      （修正有）【課題】手の握力が弱い場合や、一方の手や腕が不自由な場合においても、自身で装着したり脱いだりしやすい止着式おむつを提供する。【解決手段】使い捨ておむつの脇部に配される止着テープであって、第１の係止部と第２係止部とが配され、  第１係止部がテープ先端に配され、第２係止部が第１係止部よりもテープ基端側において、テープ先端側に向かって凸形状をなす切り込み線により形成される摘み片に配されている、止着テープにより解決される。【選択図】図１
2008161481.tif 000002
【特許請求の範囲】
【請求項１】
使い捨ておむつの前身頃と後身頃とを係合するために、当該使い捨ておむつの脇部に配される止着テープであって、
この止着テープは、基材シートの一方面に第１の係止部と第２係止部とが配され、
その第１係止部が、テープ先端に配され、
第２係止部が、第１係止部よりもテープ基端側において、テープ先端側に向かって凸形状をなす切り込み線により形成される摘み片に配されている、ことを特徴とする止着テープ。
【請求項２】
前記止着テープは、第２係止部がメカニカルファスナーの雄材又は雌材であるとともに、この第２係止部に係合するメカニカルファスナーの雌材又は雄材を備え、
その雌材又は雄材は、第２係止部と対面するように配され、かつ、摘み片を囲む位置で基材シートに剥離不能に接着されている、請求項１記載の止着テープ。
【請求項３】
少なくとも摘み片よりもテープ先端側であって、かつ、止着部形成面と反対の面に、第２係止部が係止可能な係止部材が配されている、請求項１記載の止着テープ。
【請求項４】
前記止着テープは、第１止着部とテープ基端との間及び第２係止部とテープ基端との間の少なくとも一方に弾性伸縮部を有し、この弾性伸縮部材によってテープ先端から基端に至る方向に弾性伸縮性が付与されている、請求項１又は２記載の止着テープ。
【請求項５】
摘み片を複数有する、請求項１〜４の何れか１項に記載の止着テープ。
【請求項６】
テープ先端が複数に分かれているとともに、各先端部に第１係止部が配されている、請求項１〜５の何れか１項に記載の止着テープ。
【請求項７】
前記請求項１〜６の何れか１項に記載の止着テープが、前身頃又は後身頃の両脇部に設けられている、ことを特徴とする止着式おむつ。
【発明の詳細な説明】
【技術分野】
【０００１】
本発明は、止着テープ及び止着テープを備える止着式おむつに関する。
【背景技術】
【０００２】
前身頃と後身頃のいずれかの両脇部に設けられた止着テープを、他方の身頃の外面に止着することで装着する止着式のおむつは、よく知られるものである。
この止着式おむつは、床に寝た状態で介護者等が他人に着せたり脱がせたりするのが容易であるというメリットはあるものの、止着テープの止着を解除した状態では、前身頃と後身頃とが分離した状態となるため、装着者自身が立位の状態で装着したり脱いだりしたりするのには向かないとされていた。
止着式のおむつと比較して、一般的に立位の状態で装着したり脱いだりしやすいとされているおむつとして、両脇部が予め接合されているとともに、胴回りに弾性伸縮部材を配した所謂パンツ型のおむつがある。
【特許文献１】特開２００６−２０４６９８
【特許文献２】特開２００６−３０５３７７
【特許文献３】特開２００４−２９８４９９
【発明の開示】
【発明が解決しようとする課題】
【０００３】
しかし、パンツ型おむつは、胴周りに配した弾性伸縮部材により、着用者の胴回りにフィットさせる構成をとるがゆえに、通常、胴回り部を緩めるには、弾性伸縮部材を伸張させる以外にない。
このため、手の握力が弱い場合や、一方の手や腕が不自由な場合に装着したり脱いだりするのに極めて手間がかかることがある。
そこで、本発明の主たる課題は、このような手の握力が弱い場合や、一方の手や腕が不自由な場合においても、自身で装着したり脱いだりすることが容易なおむつ、特に止着式のおむつと、これに用いる止着テープを提供することとする。
【課題を解決するための手段】
【０００４】
上記課題を解決した本発明及び作用効果は次記のとおりである。
＜請求項１記載の発明＞
使い捨ておむつの前身頃と後身頃とを係合するために、当該使い捨ておむつの脇部に配される止着テープであって、
この止着テープは、基材シートの一方面に第１の係止部と第２係止部とが配され、
その第１係止部が、テープ先端に配され、
第２係止部が、第１係止部よりもテープ基端側において、テープ先端側に向かって凸形状をなす切り込み線により形成される摘み片に配されている、ことを特徴とする止着テープ。
【０００５】
（作用効果）
本発明の止着テープを用いた止着式のおむつでは、まずテープ先端を摘んでおむつ脇部を引っ張り、第１係止部をおむつ外面に止着した後、さらに摘み片を摘んでおむつ脇部を引っ張ることができ、さらに第１係止部で止着した位置よりも、おむつの幅方向中心側に第２係止部を係止させることができる。
従って、予めテープ先端部によって、体に対して余裕をもって前身頃と後身頃とを連接しておき、さらに、摘み片によりしっかりと止着する装着方法を採ることができるようになる。
そして、第１係止部のみで連接させた状態では、所謂パンツ型と同様の前身頃と後身頃と脇部で連接させた形態となり、しかも、体に対して余裕をもって前身頃と後身頃とを連接すれば、胴回りへの締付力が弱い状態となるため、この状態では、立位の状態でしかもさほどの力を要せずに装着したり脱いだりすることができる。
さらに、第１係止部が係止されていれば、摘み片の付け剥がしは前後身頃の分離に関係なくなるから、摘み片の係止を左右一方ずつ余裕をもって行うことができる。
してみると、本発明では、左右一方ずつの操作が可能な摘み片の付け剥がし操作により、第１止着部片のみによる締付力の弱い余裕止着状態にすることができ、もって、握力が弱かったり、片手であっても脱いだり、はいたりすることがきわめて容易に行えるようになる。
【０００６】
＜請求項２記載の発明＞
前記止着テープは、第２係止部がメカニカルファスナーの雄材又は雄材であるとともに、この第２係止部に係合するメカニカルファスナーの雌材又は雄材を備え、
その雌材又は雄材は、第２係止部と対面するように配され、かつ、摘み片を囲む位置で基材シートに剥離不能に接着されている、請求項１記載の止着テープ。
【０００７】
（作用効果）
第２係止部をメカニカルファスナーの雄材又は雌材としたので、複数回の付け剥がしに適するようになる。本発明では、摘み片の付け剥がしによって装着者が容易に脱いだりはいたりすることを可能とするものであるため、おむつの基本的機能である吸収機能を発揮させるまでに、数回の付け剥がしが行われることが想定される。従って、第２係止部としてメカニカルファスナーを採用することに大きな利点がある。
また、摘み片を摘み挙げたときに、切り込み線及び摘み片の基部によって形成される抜け部分が雌材等によって被覆されるようになり、摘み片の形成による強度低下のないものとなる。
【０００８】
＜請求項３記載の発明＞
少なくとも摘み片よりもテープ先端側であって、かつ、止着部形成面と反対の面に、第２係止部が係止可能な係止部材が配されている、請求項１記載の止着テープ。
【０００９】
（作用効果）
第１止着片部の係止したのち、その第１止着片部上に重ねて第２係止部を係止することが可能になる。第２係止部の係止可能範囲が広範となり、摘み片による胴回りの締付力等の調整量が広がる。
【００１０】
＜請求項４記載の発明＞
前記止着テープは、第１止着部とテープ基端との間及び第２係止部とテープ基端との間の少なくとも一方に弾性伸縮部を有し、この弾性伸縮部材によってテープ先端から基端に至る方向に弾性伸縮性が付与されている、請求項１又は２記載の止着テープ。
【００１１】
（作用効果）
弾性伸縮部を設けたので、前身頃と後身頃とが弾性伸縮可能に連接され、フィット性及び装着感に優れるものとなる。
【００１２】
＜請求項５記載の発明＞
摘み片を複数有する、請求項１〜４の何れか１項に記載の止着テープ。
【００１３】
（作用効果）
第２係止部による係止を一層しっかりとしたものとすることができる。
また、第２係止部を幅方向に複数配置すれば、幅広の止着テープを形成でき、幅広の脇部を有するおむつに好適に用いることができる。さらに、テープ先端から基端側に向かって複数の摘み片を設ければ、胴回り部のより細かな調整ができるようなる。
【００１４】
＜請求項６記載の発明＞
テープ先端が複数に分かれているとともに分、各先端部に第１係止部が配されている、請求項１〜５の何れか１項に記載の止着テープ。
【００１５】
（作用効果）
第１係止分を有するテープ先端が複数形成されるので、幅広の止着テープを形成したときに先端部の係止力を確実に確保できる。これにより、幅広の脇部を有するおむつに好適に用いることができる。
さらに、テープ先端部の数及び摘み片の数の選択により種々の設計のおむつを構成することができるようになる。例えば、摘み片よりテープ先端部の数を多くすれば、テープ先端部の係止力が、摘み片による係止力より強まり、もって、摘み片の付け剥がしに起因する第１止着片部の剥離のおそれが小さくなる。
【００１６】
＜請求項７記載の発明＞
前記請求項１〜６の何れか１項に記載の止着テープが、前身頃又は後身頃の両脇部に設けられている、ことを特徴とする止着式おむつ。
【００１７】
（作用効果）
上記各請求項１〜５に記載の発明の作用効果を有する止着式のおむつが提供される。
【発明の効果】
【００１８】
以上のとおり、本発明によれば、特に、手の握力が弱い場合や、一方の手や腕が不自由な場合でも、極めて容易に装着したり脱いだりすることができる止着式のおむつと、これに用いる止着テープが提供される。
【発明を実施するための最良の形態】
【００１９】
次いで、本発明の吸収性物品の実施の形態を図面を参照しながら以下に詳述する。
『第１の実施の形態』
（止着テープ）
第１の実施の形態の止着テープを、図１〜４に示す。図１は、本形態の止着テープの平面図、図２はそのＩＩ−ＩＩ断面図、図３は本形態に係る止着テープの底面図である。また、図４は、摘み片を捲り挙げた状態の平面図である。なお、図中における×は、剥離不能に接着されている接着部を示す。
本形態の止着テープＳは、図にも示されるとおり、基材シート１の一方面に、メカニカルファスナーの雄材で構成された、実質的におむつの外面に対して係合される第１係止部１１と第２係止部１２とが配されている。
基材シート１は、止着テープＳの外形を成すものであり、図示の形態では、おむつ脇部に対して固定される基端部が略方形であるとともに、先端部が山形に狭窄された形状となっている。ただし、本発明においては、図示の形態に限らず、既知の止着式おむつに用いられている形状を採用することができる。
ここで、本発明及び本明細書において、止着テープＳ（基材シート１）の基端Ｓｂとは、おむつ本体の脇部に剥離不能に固定される側の端をいい、止着テープＳの先端Ｓｔとは、前記基端Ｓｂと反対側の端をいう。
前記基材シート１は、既知の止着テープに用いられているシート材を用いることができ、肌触りが良好なことから、不織布シート又は樹脂製シートの両面に不織布を積層した不織布積層シートが好適である。
前記不織布シートとしては、例えば、ポリエチレンまたはポリプロピレン等のオレフィン系、ポリエステル系、ポリアミド系等の合成繊維、レーヨンやキュプラ等の再生繊維、綿等の天然繊維を繊維素材として、スパンレース法、スパンボンド法、サーマルボンド法、メルトブローン法、ニードルパンチ法等の適宜の加工法によって加工したものが挙げられる。
前記樹脂製シートとしては、ポリプロピレン、ポリエチレン等の樹脂製シートが挙げられる。
ここで、前記第１係止部１１は、山形に狭窄しているテープ先端部Ｓｔに配されている。テープ先端部Ｓｔとは、少なくとも止着テープＳの先端側１／２の範囲、好適には１／３の範囲である。
第１係止部１１は、テープ先端Ｓｅよりも若干基端側に離間して配されており、第１係止部１１をおむつ外面に係止させたときに、当該テープ先端縁部３がおむつ外面から浮いて、テープ先端縁部３を摘みやすいように構成されている。
かかる先端縁部３としては先端Ｓｅから基端側に１〜２０ｍｍ、好適５〜１０ｍｍあればよく、この程度先端縁部３があれば摘まみ性が向上される。
他方、第２係止部１２は、第１係止部１１よりもテープ基端Ｓｂ側に形成された摘み片２に配されている。摘み片２は、第１係止部１１よりもテープ基端Ｓｂ側に形成された、テープ先端側に向かって凸形状となる切り込み線２Ｃにより形成される。
摘み片２の形状は、図示例では、テープの先端形状と同様のテープ先端側に向かって狭窄する山形形状をしているが、必ずしも摘み片２は、先端形状と同様にする必要はない。
切り込み線によって、先端側に向かって凸型の円弧形状、湾曲形状、コ字状、Ｖ字状、Ｕ字状などの形状とすることができる。
他方、第１係止部１１及び第２係止部１２は、上述のとおり本形態では代表的にメカニカルファスナーの雄材としているが、その他、メカニカルファスナーの雌材や粘着剤塗布部により構成できる。係止部１１，１２を雄材、雌材にするか、粘着剤塗布部とするかは、おむつ外面に設ける被係止部との関係で適宜定める。
ただし、複数回の付け剥がしによって粘着力の低下のおそれがある粘着剤を用いて構成するよりも、メカニカルファスナーを採用するほうが好ましい。
メカニカルファスナーの雄材としては、対となる雌材の雌形素子と係止する鈎形あるいはきのこ状の膨頭形等の立毛状雄形素子を一方面に有する一般的な雄材を用い得る。
雄材を配するには、例えば、当該雄材を適宜の大きさに裁断した後、既知の非剥離性接着剤によって基材シート１に接着することで配することができる。
また、本形態の止着テープＳでは、好ましい形態として、第２係止部１１と対面し、かつ、摘み片２を取り囲む位置で非剥離性接着剤によって基材シート１に対して剥離不能に接着される雄材１３を備える。
かかる雌材１３は雄材である第２係止部１２と係止関係を築くメカニカルファスナーの雌材であり、かかる雌材１３の配置により、第２係止部１２が使用時以外、当該雌材１３に係止された状態となるため、摘み片２が不必要に自由とならず、取り扱い性が向上する。
そして、このように雌材１３を配するのであれば、特に、第２係止部１２を、摘み片２の先端縁よりも若干基端側に離間した位置に配するのがよい。離間距離は、先端縁から基端側に１〜２０ｍｍ、好適５〜１０ｍｍあればよい。かかる係止状態において、摘み片２の先端縁部４が当該雌材から浮き、引き剥がしがしやすくなる。
雌材１３としては、対応する雄材（第２係止部１１）との係止に適した多数の雌形素子を備える既知の雌材が用いられる。具体的には、一方面にループ状またはアーチ状の雌形素子を多数形成した織布、ポリエチレンまたはポリプロピレン等のオレフィン系、ポリエステル系、ポリアミド系等の合成繊維、レーヨンやキュプラ等の再生繊維、綿等の天然繊維などからなるウェブを、スパンレース法、スパンボンド法、サーマルボンド法、メルトブローン法、ニードルパンチ法、熱収縮法等の適宜の加工法を施して片面にループ状、アーチ状の雌形素子を形成した不織布等である。
【００２０】
（止着式おむつ）
次いで、本形態の止着テープＳを具備する止着式のおむつＸについて説明する。
本形態にかかる使い捨ておむつＸは、図５に示されるとおり、前身頃Ｆと後身頃Ｂとが股間部で連接されたおむつ本体Ｚの、前記後身頃側Ｂの左右両脇部に、それぞれ上記説明の止着テープＳ，Ｓを具備する。
おむつ本体Ｚは、透液性表面シート３１と不透液性裏面シート３２との間に吸収体３３が介在された構造を有し、前記透液性表面シート３１及び不透液裏面シート３２の前後端部及び両側部が前記吸収体３３よりも外方に延出され、これら延出した部位において両シートが接合されて形成されている。接合の方法は、特に限定されない。既知の方法による。例えば、ホットメルト接着、超音波シール、ヒートシール（熱融着）、ヒートプレス（熱圧着）又はこれらの組み合わせによることができる。
また、このおむつ本体Ｚの平面外形は、図示のとおり、両側の前後方向中央部が凹欠されて幅方向中心側に湾曲する脚周り縁ＥＬ，ＥＬを有し、この脚周り縁ＥＬ，ＥＬより前後方向縁側に、両側脚周り縁ＥＬ，ＥＬ間よりも幅広の腹側胴回り部、背側胴回り部を有する略砂時計型の平面外形をなしている。
そして、その幅方向両側部には、前後方向に沿って、脚周り弾性伸縮部材３４，３４…がホットメルト接着剤により伸張状態で固定されており、脚周り縁部のフィット性が高められている。
一方、おむつ本体の前身頃側の胴回り部外面には、止着テープＳ，Ｓが係止される被係止部４０が配されている。本形態では、止着テープＳに配された各係止部１１，１２がメカニカルファスナーの雄材で構成されていることから、被係止部４０はメカニカルファスナーの雌材で構成されている。
かかる雌材は、対応する雄材（第１係止部１１及び第２係止部１２）との係止に適した多数の雌形素子を備える既知の雌材が用いられる。具体例は、先に例示した摘み片を被覆するようにして配する雌材１３と同様のものを用い得る。すなわち、一方面にループ状またはアーチ状の雌形素子を多数形成した織布、ポリエチレンまたはポリプロピレン等のオレフィン系、ポリエステル系、ポリアミド系等の合成繊維、レーヨンやキュプラ等の再生繊維、綿等の天然繊維などからなるウェブを、スパンレース法、スパンボンド法、サーマルボンド法、メルトブローン法、ニードルパンチ法、熱収縮法等の適宜の加工法を施して片面にループ状、アーチ状の雌形素子を形成した不織布等である。
被係止部４０の配置範囲については、特に限定されず、従来の止着式のおむつＸにしたがって、前身頃Ｆの胴回り部の適当範囲に設けることができる。ただし、係止部１１，１２の係止範囲が広範となり、もって係止部１１，１２による締付調整が広くなることから、前身頃Ｆの胴回り部の幅方向に略全範囲設けるのがよい。
なお、おむつ本体Ｚを構成する透液性表面シート３１は、ナイロン、ポリエチレンテレフタレート等の糸を平織り等したネット状のシート素材、多数の透孔を形成したフィルムシート材、ポリエチレンやポリプロピレン等のフィルムシート材、透液性を有する織布、不織布が適し、特に不織布が適する。不織布としては、ポリエチレンまたはポリプロピレン等のオレフィン系、ポリエステル系、ポリアミド系等の合成繊維、レーヨンやキュプラ等の再生繊維、綿等の天然繊維を繊維素材として、スパンレース法、スパンボンド法、サーマルボンド法、メルトブローン法、ニードルパンチ法等の適宜の加工法によって加工したものを用い得る。
また、不透液性裏面シート３２は、ポリエチレンやポリプロピレン等の既知の樹脂シート、特には、ポリエチレンやポリプロピレン等の樹脂中に無機充填剤を混練してシートを成形した後、一軸または二軸方向に延伸することにより得られる微多孔性の樹脂シートが好適に用いられる。不透液性裏面シート３２は、肌触り性向上のために樹脂性シートの外面に不織布等からなる外装シートを積層したものが特に好適である。外装シートに用いうる不織布シートは、上記透液性表面シート３１に用いられるのと同様である。
さらに。吸収体３３は、積繊パルプ、不織布などの繊維内に吸収性ポリマーが散在されている吸収コアをクレープ紙、不織布シート、孔開きシート等の透液性シートによって包皮した既知の構成を採ることができる。
高吸収性ポリマーとしては、カルボキシメチルセルロース、ポリアクリル酸およびその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、あるいはイソブチレンとマレイン酸との共重合体等が好適に用いられる。
【００２１】
（止着方法）
次いで、本形態の止着テープＳによる止着方法を、図６〜８に示す模式図を参照しながら説明する。まず、図６に示すように、第１係止１１をおむつ本体Ｚの前身頃側の胴回り部外面に設けられた被係止部４０に対して係止させるようにして、前身頃Ｆと後身頃Ｂとを連接させる。
このとき、例えば、脚周りの弾性伸縮部材のみの軽いフィット力で装着状態が維持される程度にし、胴回りに関しては余裕のある状態としておく。
次いで、図７に示すように、摘み片２を雌材１３から引き剥がし、さらに、図８に示すように、摘み片２を第１係止部１１の係止領域を超えて、おむつ本体の幅中心方向側位置に引き寄せ、当該位置で被係止部４０に係止させるようにする。
この係止状態では、第１係止部１１のみの係止と比較して、胴回り部が絞られることから、フィット性が向上する。なお、止着式のおむつでは、胴回り部の絞りとともに、脚周り部も絞られるため、胴回り及び脚周りで漏れ防止を十分に発揮できるフィット力とすることができる。この摘み片２（第２係止部１２）による係止によって完全な装着状態とする。
この止着方法を採れば、着用者は、摘み片２をつまんで第２係止部１２を被係止部４０から引き剥がす操作を、左右で順に行っても、第１係止部により前後身頃は分離しない。
そしてかかる第２係止部１２の解除により、第１係止部１１のみ係止された、胴回りに余裕があり、脚周りも緩められた状態となるため、比較的弱い力でも脱いだり、はいたりすることが可能な状態となる。
【００２２】
『第２の実施の形態』
第２の実施の形態は、図９に断面図を示すとおり、基材シート１の係止部配設面と反対の面全体に第２係止部１２が係止しうるメカニカルファスナーの雌材１５を配した止着テープＳである。その他の構成は第１の実施の形態にかかる止着テープＳと同様である。
この雌材１５としては、上記第１の実施の形態において摘み片２を被覆するようにして配した雌材１３と同様のものを用いることができ、また、基材シート１への接着に際しては、既知の非剥離性接着剤を用いることができる。
なお、本形態では、雌材１５を全面に配しているが、必ずしも全面に配する必要はなく、摘み片２よりもテープ先端側に配されていればよい。
本形態では、第１係止部１１を介してテープ先端部Ｓｔをおむつ本体Ｚ外面の被止着部４０に係止した後、さらに摘み片２の第２係止部１２を係止するにあたって、第２係止部１２をそれよりもテープ先端側に重ねて係止することができるようになり、第２係止部１２の係止範囲が広がるので胴回り長の調整範囲が広がる。
ここで、摘み片２をテープ先端側上に重ねて止着した後に、摘み片２のみを容易に剥離させることができるように、第１係止部１１と被止着部４０との係合力と比較して、第２係止部１２と当該雌材１５との係合力が、小さくなるように構成するのがよい。
【００２３】
『第３の実施の形態』
第３の実施の形態は、止着テープＳに弾性伸縮部５を設けた形態である。図１０に示す例では、第１係止部１１と摘み片２との間、摘み片２とテープ基端Ｓｂとの間の２箇所に弾性伸縮部５を設けている。この弾性伸縮部５としては、例えば、シート状の弾性伸縮部材を当該位置に基材シート１を先端側と基端側とに分断するようにして配して形成することができる。
また、基材シート１に、糸ゴムなどの紐状の弾性伸縮部材を、テープ先端から基端に至る方向に沿って、ホットメルト接着剤などにより、伸張状態で複数本固定することによっても形成することができる。
なお、本形態は、図示の形態に限らず、第１止着部１１とテープ基端Ｓｂとの間及び第２係止部１２とテープ基端Ｓｂとの間の少なくとも一方に弾性伸縮部を有していればよく、図示例のように必ずしも２箇所に設ける必要もない。
【００２４】
『その他の実施の形態』
上記第１〜３の形態は、第１係止部１１及び第２係止部１２を各一つずつ有する形態であるが、本発明はこれに限定されず、何れか又は両方の係止部１１，１２、摘み片２を複数設けた形態とすることができる。
例えば、図１１に示すように、テープ先端側が二股に別れて複数のテープ先端部Ｓｔ，Ｓｔを有し、各先端部Ｓｔ，Ｓｔに第１係止部１１，１１が配され、さらに、それら各第１係止部１１，１１の基端側にそれぞれ摘み片２，２が設けられ、その各摘み片２，２に第２係止部１２，１２が配されている形態とすることができる。
この形態では、例えば、胴回り幅が広いおむつに用いるのに適する。
この形態とするには、基材シートの外形及び切り込み線を適宜の形状にするとともに、適当位置に雄材、雌剤を配置すればよい。なお。各部の素材や層構造については第１の実施の形態と同様である。
さらに、図１２に示すような、二股のテープ先端部Ｓｔ，Ｓｔと、一つの摘み片２を有する形態や、図１３に示すような、テープ先端側から基端側に向かって複数の摘み片２，２が形成され、それらにそれぞれ第２係止部１２，１２を配した形態など、本発明の趣旨を逸脱しない範囲で適宜の形態を採ることができる。
【産業上の利用可能性】
【００２５】
本発明は、例えば、パンツ型、テープ式の使い捨ておむつのほかに、これらと併用される補助吸収パッドなど股間部を含む範囲に配して用いる吸収体を具備する物に対して利用の可能性がある。
【図面の簡単な説明】
【００２６】
【図１】第１の実施の形態に係る止着テープの平面図である。
【図２】そのＩＩ−ＩＩ断面図である。
【図３】第１の実施の形態に係る止着テープの底面図である。
【図４】第１の実施の形態に係る止着テープの摘み片を捲り挙げた状態の平面図である。
【図５】第１の実施の形態に係る止着テープを具備する止着式おむつの平面図である。
【図６】使用方法を説明する第１の説明図である。
【図７】使用方法を説明する第２の説明図である。
【図８】使用方法を説明する第３の説明図である。
【図９】第２の実施の形態に係る止着テープの断面図である。
【図１０】第３の実施の形態に係る止着テープの平面図である。
【図１１】第４の実施の形態に係る止着テープの平面図である（二連）。
【図１２】第４の実施の形態に係る止着テープの他の例の平面図である（二連）。
【図１３】第４の実施の形態に係る止着テープの別の例の平面図である（二連）。
【符号の説明】
【００２７】
１…基材シート、２…摘み片、２Ｃ…摘み片形成切り込み線、３…テープ先端縁部、４…摘み片先端縁部、５…弾性伸縮部、１１…第１係止部（雄材）、１２…第２係止部（雄材）、１３，１５…雌材、１４…非剥離性接着剤塗布部、３１…透液性表面シート、３２…不透液性裏面シート、３３…吸収体、３４…脚周り弾性伸縮部材、４０…被係止部、Ｓ…止着テープ、Ｓｔ…止着テープ先端部、Ｓｅ…止着テープ先端、Ｓｂ…止着テープ基端、ＬＥ…脚周り縁，Ｚ…おむつ本体、Ｘ…止着式の使い捨ておむつ。
【図１】
2008161481.tif 000003
【図２】
2008161481.tif 000004
【図３】
2008161481.tif 000005
【図４】
2008161481.tif 000006
【図５】
2008161481.tif 000007
【図６】
2008161481.tif 000008
【図７】
2008161481.tif 000009
【図８】
2008161481.tif 000010
【図９】
2008161481.tif 000011
【図１０】
2008161481.tif 000012
【図１１】
2008161481.tif 000013
【図１２】
2008161481.tif 000014
【図１３】
2008161481.tif 000015